(57)【要約】【課題】本考案は、設計が精巧で、結構が簡単であり、コストを節約し、毒性がなく、環境に優しい、複数の色温度が実現できるLEDランプを提供する。【解決手段】本考案の複数の色温度が実現できるLEDランプは、LEDランプ13とLEDランプを支持する基板14とを備え、前記LEDランプ13は、白光チップ1と、黄光チップ2と、赤光チップ3とを含み、3つのチップの3つ正極はLEDランプ基板14の同一区域に固定して接続され、共同正極4を形成し、白光チップ1、黄光チップ2及び赤光チップ3の負極はそれぞれLEDランプ基板14に単独的に固定して接続され、白光チップの負極5、黄光チップの負極6、赤光チップの負極7になる。【選択図】図1
0003163327.tif 000002
【実用新案登録請求の範囲】
【請求項１】
LEDランプとLEDランプを支持する基板を含む複数の色温度が実現できるLEDランプにおいて、
前記LEDランプは白光チップと、黄光チップと、赤光チップとを含み、3つのチップの3つの正極はLEDランプ基板の同一区域に固定して接続されて、共同正極を形成し、白光チップ、黄光チップ及び赤光チップの負極は、それぞれLEDランプ基板に単独的に固定して接続されて、白光チップの負極、黄光チップの負極、赤光チップの負極になることを特徴とする複数の色温度が実現できるLEDランプ。
【請求項２】
請求項1に記載の複数の色温度が実現できるLEDランプにおいて、前記白光チップ、黄光チップ及び赤光チップがLEDランプ基板の熱伝導通路に固定して接続されていることを特徴とする複数の色温度が実現できるLEDランプ。
【請求項３】
請求項1に記載の複数の色温度が実現できるLEDランプにおいて、白光チップの正負極を繋いで、5000K乃至7000Kの色温度を実現することを特徴とする複数の色温度が実現できるLEDランプ。
【請求項４】
請求項1に記載の複数の色温度が実現できるLEDランプにおいて、白光チップ及び黄光チップの正負極を繋いで、3500K乃至5000Kの色温度を実現することを特徴とする複数の色温度が実現できるLEDランプ。
【請求項５】
請求項1に記載の複数の色温度が実現できるLEDランプにおいて、白光チップ、黄光チップ及び赤光チップの正負極を繋いで、2700K乃至3500Kの色温度を実現することを特徴とする複数の色温度が実現できるLEDランプ。
【考案の詳細な説明】
【技術分野】
【０００１】
本考案は、照明器具に関し、具体的には、複数の色温度が実現できるLEDランプに関する。
【背景技術】
【０００２】
従来の照明器具において、調節機能を有する照明器具として、主に、電気スタンドやベッドランプなどがあり、一般的には光源として白熱灯を採用するが、ランプの光の明るさのみ調節でき、ランプの光の色は調節できなかった。白熱灯は光源として、その発光効率が低く、電量消耗が大きく、発熱し易く、寿命が短い問題点があった。
【０００３】
LEDランプは1つの新規光源として、体積が小さく、電気消耗が低く、使用寿命が長く、発光効率が高く、毒性がなく、環境に優しく、長寿命を有し、色が豊富な利点がある。
【０００４】
現在のLEDランプにおいて、シングルLEDは1つの色温度しか実現できなく、調節できない。低色温度のランプの照明効果は暖色で、高色温度のランプの照明効果は寒色であり、外界環境が変化する時、ランプの光と環境は調和できなく、照明と装飾効果に影響を与える。
【０００５】
最も新しいLED調光回路と技術は、パルス幅変調の技術を採用して、LEDの明るさを可変させるが、LEDの色温度の変化が小さく、100Kの色温度を超えない。従って、従来技術において、回路のコントロールによっては、LED照明器具はさらに大きい範囲においての色温度調節を実現できなかった。
【考案の概要】
【考案が解決しようとする課題】
【０００６】
本考案は、従来技術の上記欠陥を鑑みて、複数の色温度が実現できるLEDランプを提供することを目的とする。
【課題を解決するための手段】
【０００７】
前記目的を達成するために、本考案に係る複数の色温度が実現できるLEDランプは、LEDランプとLEDランプを支持する基板を含み、前記LEDランプは白光チップと、黄光チップと、赤光チップとを含み、3つのチップの3つの正極はLEDランプ基板の同一区域に固定して接続され、共同正極を形成し、白光チップ、黄光チップ及び赤光チップの負極は、それぞれLEDランプ基板に単独的に固定して接続され、白光チップの負極、黄光チップの負極、赤光チップの負極になることを特徴とする。
【０００８】
上記の複数の色温度が実現できるLEDランプにおいて、前記白光チップ、黄光チップ及び赤光チップがLEDランプ基板の熱伝導通路に固定して接続されている。
上記の複数の色温度が実現できるLEDランプにおいて、白光チップの正負極を繋いで、5000K乃至7000Kの色温度を実現する。
上記の複数の色温度が実現できるLEDランプにおいて、白光チップ及び黄光チップの正負極を繋いで、3500K乃至5000Kの色温度を実現する。
【０００９】
上記の複数の色温度が実現できるLEDランプにおいて、白光チップ、黄光チップ及び赤光チップの正負極を繋いで、2700K乃至3500Kの色温度を実現する。
【考案の効果】
【００１０】
本考案の複数の色温度が実現できるLEDランプは以下の有益な効果を具備する。
1、これら複数の色温度が実現できるLEDランプによりシングル白光LED製品が3段の色温度を有することができ、LEDを変更する必要なく、異なる環境或いは異なる要求に従って色温度を変化させ、環境雰囲気を改変し、異なる視覚効果を作ることができ、優しい装飾効果を持つようになる。
【００１１】
2、本考案は他の方法によれば、LEDデバイスパッケージ技術に手をつけて、2700K-7000Kの色温度変化を実現し、従来技術のボトルネックを突破し、顕著な進歩を取得した。
3、本考案は、設計が精巧で、結構が簡単であり、コストを節約し、毒性がなく、環境に優しい。
【図面の簡単な説明】
【００１２】
【図１】本考案における複数の色温度が実現できるLEDランプの結構概略図。
【図２】本考案における複数の色温度が実現できるLEDランプの背面結構概略図。
【考案を実施するための形態】
【００１３】
図1に示すように、本考案の複数の色温度が実現できるLEDランプの実施例において、LEDランプ13とLEDランプを支持する基板14とを備え、前記LEDランプ13は、白光チップ1と、黄光チップ2と、赤光チップ3とを含み、3つのチップの3つ正極はLEDランプ基板14の同一区域に固定して接続され、共同正極4を形成し、白光チップ1、黄光チップ2及び赤光チップ3の負極はそれぞれLEDランプ基板14に単独的に固定して接続され、白光チップの負極5、黄光チップの負極6、赤光チップの負極7になる。
【００１４】
白光チップ1、黄光チップ2及び赤光チップ3は、LEDランプ基板14の熱伝導通路8に固定して接続されている。本考案のLEDランプは3つのチップを含むため発熱量が大きくなるが、放熱問題を解決して製品の性能に影響を与えられなくするため、熱伝導通路8を設け、3つのチップが発散する熱量をすばやく放熱させるようにしている。
【００１５】
白光チップ1の正負極を繋ぎ、即ち、共同正極4と白光チップ負極5を繋いで、白光チップを点灯すると、5000K乃至7000Kの色温度を実現することができる。
【００１６】
白光チップ1及び黄光チップ2の正負極を繋ぎ、即ち共同正極4と白光チップ負極5及び黄光チップ負極6を繋いで、白光チップ1と黄光チップ2を点灯すると、3500K乃至5000Kの色温度を実現することができる。
【００１７】
白光チップ1、黄光チップ2及び赤光チップ3の正負極を繋ぎ、即ち共同正極4と白光チップ負極5、黄光チップ負極6及び赤光チップ負極7を繋いで、白光チップ1、黄光チップ2及び赤光チップ3を同時に点灯すると、2700K乃至3500Kの色温度を実現することができる。
【００１８】
消費者は、異なる必要に応じて単独的に白光チップを点灯するか、或いは、白光チップと黄光チップを点灯するか、或いは、3つのチップを同時に点灯するかを選択して異なる色温度を実現することができる。
【００１９】
図2に示すように、本考案において、背面には正面と対応するように、共同正極溶着部9、白光負極溶着部10、黄光負極溶着部11、赤光負極溶着部12が設けられている。
【００２０】
上記説明は、ただ本発明の優先的な実施形態であり、本発明を限定せず、本発明の思想と原則内で作られた如何なる補正、等価置換及び改進などは、すべて本発明の保護範囲内に含まれるべきである。
【符号の説明】
【００２１】
1  白光チップ
2  黄光チップ
3  赤光チップ
4  3つのチップの共同正極
5  白光負極
6  黄光負極
7  赤光負極
8  熱伝導通路
9  共同正極溶着部
10  白光負極溶着部
11  黄光負極溶着部
12  赤光負極溶着部
13  LEDランプ
14  LEDランプ基板
【図１】
0003163327.tif 000003
【図２】
0003163327.tif 000004